(57)【要約】【課題】  本考案は、レンズ枠を合わせる時にズレず、またレンズ枠同士が装着中にズレない眼鏡枠を提供することを課題とする。【解決手段】  一方の側面にそれぞれ磁石部材が設けられた一対のレンズ枠と、レンズ枠の他方の側面に結合され、レンズ枠を左右可動に支持する支持部材と、一端を支持部材と接続され他端をカチュウシャ状のバネ部材と接続されるとともに支持部材を上下可動に支持する長さ調節部材及び両端を長さ調節部材と接続されたカチュウシャ状のバネ部材とを有し、磁石部材を介してレンズ枠同士が脱着可能に接合されている眼鏡枠であって、一方のレンズ枠の一方の側面には、磁石部材に隣接して突起部が形成されており、他方のレンズ枠の一方の側面には、磁石部材に隣接して上記突起部が嵌合する窪み部が形成されていることを特徴とする眼鏡枠である。【選択図】        図２
0003133083.tif 000002
【実用新案登録請求の範囲】
【請求項１】
一方の側面にそれぞれ磁石部材が設けられた一対のレンズ枠と、レンズ枠の他方の側面に結合され、レンズ枠を左右可動に支持するレンズ枠支持部材と、一端をレンズ枠支持部材と接続され他端をカチュウシャ状のバネ部材と接続されるとともにレンズ枠支持部材を上下可動に支持する長さ調節部材及び両端を長さ調節部材と接続されたカチュウシャ状のバネ部材とを有し、磁石部材を介してレンズ枠同士が脱着可能に接合されている眼鏡枠であって、一方のレンズ枠の一方の側面には、磁石部材に隣接して突起部が形成されており、他方のレンズ枠の一方の側面には、磁石部材に隣接して上記突起部が嵌合する窪み部が形成されていることを特徴とする眼鏡枠。
【請求項２】
上記長さ調節部材は、レンズ枠を段階的に上下可動で固定可能な第１のラッチ機構を含む第１の回転結合部を有することを特徴とする請求項１に記載の眼鏡枠。
【請求項３】
上記レンズ枠支持部材は、レンズ枠を段階的に左右可動で固定可能な第２のラッチ機構を含む第２の回転結合部を有することを特徴とする請求項１又は２に記載の眼鏡枠。
【考案の詳細な説明】
【技術分野】
【０００１】
本考案は、レンズ枠同士が脱着可能であり、レンズ枠が上下し、あるいは左右に回動し、その停止位置で固定可能な眼鏡枠に関する。
【背景技術】
【０００２】
従来の眼鏡枠は、鼻当てパットがあるため、発汗等により眼鏡枠がズレたり、脱着時に鼻当てパットの跡が残る欠点があった。またレンズ枠が固定されているためファッション性も乏しかった。
【０００３】
このような欠点を除去するため本出願人は図４に示すような眼鏡枠（特許文献１）を提案した。この眼鏡枠は、使用状態において、横部材がコメカミ位置を支点に上部へ向け可動する（ａ）。またレンズ枠が、左右可動式になっており、レンズ枠が中心より外側へ向け可動する（ｂ）。
【０００４】
この眼鏡枠は、次のような特徴を有する。
（１）使用状態において、眼鏡枠は、カチュウシャ状のバネにより頭部に固定される為、従来必要とされていた鼻当てパットを有しない。それにより、発汗等による眼鏡枠のズレが防止される他、装着時の不快感が無く、脱着時に鼻当てパットの跡が残らない。
（２）使用状態において、横部材がコメカミ位置を支点に上部へ向け可動する。それにより、眼鏡枠を装着しながらレンズのみを使用しないことが可能となり、ファッション性も高い。
（３）レンズ枠が、左右可動式になっており、レンズ枠が中心より外側へ向け可動する。これは従来の眼鏡枠の動作と正反対方向の動作で、それにより、眼鏡枠を装着しながらレンズのみを使用しないことが可能となり、ファッション性も高い。
【０００５】
ところが図４に示す眼鏡枠では以下のような不都合が有った。
（１）レンズ枠同士を接合する磁石部材が同形であるため、レンズ枠を合わせる時にズレて接合してしまう。
（２）眼鏡枠を装着している時にレンズ枠同士がズレたり外れてしまう。
（３）レンズ枠は上下可動ではあるがラッチ機構がないため、目の上方の位置に固定できない。
【特許文献１】意匠登録第１２６０１２６号公報
【考案の開示】
【考案が解決しようとする課題】
【０００６】
したがって本考案は、上記不都合を解消し、レンズ枠を合わせる時にズレず、またレンズ枠同士が装着中にズレない眼鏡枠を提供することを課題とする。さらに本考案は、レンズ枠を上下するだけで目の上方の位置に固定できる眼鏡枠を提供することを課題とする。
【課題を解決するための手段】
【０００７】
本考案の課題を解決するための具体的な手段は、次のとおりである。
（１）一方の側面にそれぞれ磁石部材が設けられた一対のレンズ枠と、レンズ枠の他方の側面に結合され、レンズ枠を左右可動に支持する支持部材と、一端を支持部材と接続され他端をカチュウシャ状のバネ部材と接続されるとともに支持部材を上下可動に支持する長さ調節部材及び両端を長さ調節部材と接続されたカチュウシャ状のバネ部材とを有し、磁石部材を介してレンズ枠同士が脱着可能に接合されている眼鏡枠であって、一方のレンズ枠の一方の側面には、磁石部材に隣接して突起部が形成されており、他方のレンズ枠の一方の側面には、磁石部材に隣接して上記突起部が嵌合する窪み部が形成されていることを特徴とする眼鏡枠。
（２）上記長さ調節部材は、レンズ枠を段階的に上下可動で固定可能な第１のラッチ機構を含む第１の回転結合部を有することを特徴とする（１）に記載の眼鏡枠。
（３）上記支持部材は、レンズ枠を段階的に左右可動で固定可能な第２のラッチ機構を含む第２の回転結合部を有することを特徴とする（１）又は（２）に記載の眼鏡枠。
【考案の効果】
【０００８】
本考案の眼鏡枠によれば、段落０００３で挙げた（１）〜（３）の利点に加えて次のような効果がある。
（１）それぞれのレンズ枠には磁石部材に加えて突起部又はこれに嵌合する窪み部が形成されているため、レンズ枠を合わせる時にズレずにピタッと付けることができる。
（２）またそれぞれのレンズ枠には磁石部材に加えて突起部又はこれに嵌合する窪み部が形成されているため、装着している時にズレにくい。
（３）磁石部材に隣接して突起部又は窪み部が形成されており、レンズ枠を開くときの支点が磁石部材から離れているため、確実に磁石部材同士の接合を離すことができ、眼鏡枠が開き易くなる。
（４）レンズ枠を段階的に上げ下げでき、レンズ枠を目の上方に固定できるので、眼鏡を外さないで手元作業ができる。（請求項２、３）
【考案を実施するための最良の形態】
【０００９】
本考案の実施の形態について図面を参照して詳細に説明する。
図１は、本考案に係る眼鏡枠を示す図面である。図面の左半分はその分解取出図である。ただしカシメリベット等の一部の部品は省略してある。
それぞれのレンズ枠２の一方の側面には、磁石部材３がネジ止めあるいは埋め込まれ、対向して固着されている。レンズ枠の他方の側面には、レンズ枠を左右可動に支持するレンズ枠支持部材４が接続されている。レンズ枠支持部材には、レンズ枠を段階的に左右に回動し固定可能なラッチ機構を含む回転結合部８が設けられている。
【００１０】
長さ調節部材５は、一端をレンズ枠支持部材と接続され他端をカチュウシャ状のバネ部材６と接続されている。長さ調節部材の内側面には縦溝が複数個形成されて、カチュウシャ状のバネ部材の端部が内側面にラッチされるようになっている。これによりカチュウシャ状のバネ部材が頭部にフィットするように長さの調節がなされる。
長さ調節部材と接続されたカチュウシャ状のバネ部材は、眼鏡枠をバネにより頭部に固定する機能を有する。長さ調節部材には、回転結合部７が設けられており、レンズ枠を段階的に上下し固定可能なラッチ機構が設けられている。
【００１１】
図２は本考案に係るレンズ枠の接合部分の拡大図である。図２より明らかなように、一方のレンズ枠の一方の側面には、磁石部材に隣接して突起部が形成されており、他方のレンズ枠の一方の側面には、磁石部材に隣接して上記突起部が嵌合する窪み部が形成されている。そしてこのようにすることによりレンズ枠は、レンズ枠を合わせる時にズレずにピタッとつけることができ、かつ装着している時にズレにくくなる。
【００１２】
本考案に係る突起部とこれに嵌合する窪み部の形状、配置については、図２の例に限定されない。例えば突起部とこれに嵌合する窪み部は磁石部材の上又は下側に一対のみ設けてもよい。また一方のレンズ枠に突起部のみ磁石部材の上下に２個設け、他方のレンズ枠に窪み部のみ磁石部材の上下に２個設けるようにしてもよい。
また磁石部材の形状についても図２にあるような円柱状のものに限定されず任意の形状の選択が可能である。
すなわち本考案の眼鏡枠は、図２の例に限定されず、レンズ枠の外れにくさと眼鏡枠のファッション性を勘案してデザインされるものである。
【００１３】
次に長さ調節部材の回転結合部のラッチ機構について図３を用いて説明する。
長さ調節部材のＡ’パーツにカシメリベットを挿通する貫通孔及び円柱状の凹みを設けるとともに、長さ調節部材のＡパーツの底面に回転を規制する為の凹凸を設ける。レンズ枠支持部材（Ｂパーツ）にはＡ’パーツの円柱状凹みに遊びを持って内接するパイプ状突起を設け、この中に回転軸方向にスライドする円筒状コマを入れる。コマとレンズ枠支持部材（Ｂパーツ）は回転軸方向に凹凸や形状によって回転しないスライド動作をさせる。このコマはＡパーツ底面の凹凸と同様の凹凸を持ち、クリアランスを持ってＡパーツ底面に接する。
【００１４】
また、コマとレンズ枠支持部材（Ｂパーツ）間には金属、もしくはゴム質の圧縮バネを入れてコマとＡパーツ底面の凹凸に圧力をかけて位置決め仮固定させる。このラッチ機構によりＡ・Ｂパーツは回転軸に対して設定した凹凸数に応じて節度のある段階仮固定を行なえる。また、回転部での緩みを無くすために締結にはカシメリベットを使用する。
レンズ枠支持部材の回転結合部においても同様のラッチ機構を用いてもよいし、これとは別のラッチ機構を用いてもよい。
【００１５】
本考案では、長さ調節部材の回転結合部のラッチ機構により、レンズ枠を段階的に上げ下げでき、眼鏡を外さないでも手元作業ができる。またレンズ枠支持部材の回転結合部のラッチ機構の動作と組み合わせることにより、レンズ枠は上下左右に段階的に可動し固定可能なためファッション性も高くなる。
【図面の簡単な説明】
【００１６】
【図１】本考案の眼鏡枠を示す模式図である。
【図２】本考案に係るレンズ枠の接合部分の拡大図である。
【図３】回転結合部のラッチ機構の模式図である。
【図４】本考案の前提となる眼鏡枠の模式図である。
【符号の説明】
【００１７】
１  レンズ
２  レンズ枠
３  磁石部材
４  レンズ枠支持部材
５  長さ調節部材
６  カチュウシャ状のバネ部
７  第１の回転結合部
８  第２の回転結合部
【図１】
0003133083.tif 000003
【図２】
0003133083.tif 000004
【図３】
0003133083.tif 000005
【図４】
0003133083.tif 000006